(57)【要約】【課題】操作部が軸筒内に沈み込んでも、ノック部分は常に突出状態に維持されるようにして、押動操作性を向上しうるようにするとともに、ノック部分の突出寸法を過度に大きくすることなく、体裁を向上させうるようにしたサイドノック式筆記具を提供する。【解決手段】操作部１５の後端部に、軸筒２の外周面より突出するノック駒２２の前端部を、軸筒２の内外方向に回動可能に連結するとともに、ノック駒２２の後端部をガイド孔２１に挿通して、その後端部に設けた外向突部２４を、軸筒２内のガイド溝１２に回動可能かつ長手方向に摺動可能に嵌合し、ノック駒２２により操作部１５を前端方向に押動操作しうるようにする。【選択図】  図５
2014162212.tif 000002
【特許請求の範囲】
【請求項１】
前後方向を向く軸筒の外周面より突出する操作部を軸筒の前方に向かって移動させることにより、前記操作部にノック棒を介して連係された筆記芯体を、前記軸筒の前端より突出させ、かつ前記ノック棒が、これを長手方向にガイドするガイド溝の前端より外れて軸筒の内部方向に移動することにより、前記操作部とノック棒の後退移動を阻止し、筆記芯体の前端部を突出状態に維持するようにしたサイドノック式筆記具において、
前記操作部に、前記軸筒の外周面より突出するノック駒の前端部を、軸筒の内外方向に回動可能に連結するとともに、このノック駒の後端部を、前記ガイド溝に回動可能かつ長手方向に摺動可能に嵌合し、前記ノック駒により前記操作部を前端方向に押動操作しうるようにしたことを特徴とするサイドノック式筆記具。
【請求項２】
ノック駒の後面を、軸筒外周面からの離間寸法が後端方向に向かって漸次大となるように傾斜する傾斜面とすることにより、非操作時におけるノック駒の外端が、ノック駒におけるガイド溝への嵌合部の斜め後方に位置するようにし、操作部を軸筒の前端方向に押動したとき、前記嵌合部を支点とするノック駒の外端の回動軌跡における外方への最大突出位置が、操作部の非操作時におけるノック駒の外端の位置と同位置またはそれよりも外方となるようにしてなる請求項１に記載のサイドノック式筆記具。
【請求項３】
操作部の後端部に、軸筒の外周面の周方向の幅寸法を小とした狭幅部を設けるととともに、この狭幅部の両側面に突軸を突設し、前記狭幅部に、ノック駒の前端部に設けた側方に弾性変形可能な１対の挟持片を挟入し、かつ両挟持片に設けた軸孔を前記両突軸に嵌合することにより、操作部の後端部に、ノック駒の前端部を、前記突軸まわりに回動可能に連結してなる請求項１または２に記載のサイドノック式筆記具。
【請求項４】
前後方向を向く軸筒の外周面より突出する操作部を軸筒の前方に向かって移動させることにより、前記操作部にノック棒を介して連係された筆記芯体を、前記軸筒の前端より突出させ、かつ前記ノック棒が、これを長手方向にガイドするガイド溝の前端より外れて軸筒の内部方向に移動することにより、前記操作部とノック棒の後退移動を阻止し、筆記芯体の前端部を突出状態に維持するようにしたサイドノック式筆記具において、
前記操作部の後端部に、前記軸筒の外周面より突出するとともに、前記ガイド溝に長手方向に摺動可能に嵌合されたノック駒の前端部を、前記軸筒の内外方向に相対移動可能に連結し、前記ノック駒により前記操作部を前端方向に押動操作しうるようにしたことを特徴とするサイドノック式筆記具。
【請求項５】
ノック駒における軸筒の外周面の周方向の幅寸法を、操作部のそれよりも大としてなる請求項１〜４のいずれかに記載のサイドノック式筆記具。
【請求項６】
筆記芯体をシャープペンシルユニットとしてなる請求項１〜５のいずれかに記載のサイドノック式筆記具。
【発明の詳細な説明】
【技術分野】
【０００１】
本発明は、例えば色の異なる複数のボールペンリフィールとシャープペンシルユニット等の筆記芯体と、それに取付けたノック棒を軸筒内に収容し、軸筒の外周面に突出させた、ノック棒と一体をなす操作部を、軸筒の前端方向に選択的に押動操作することにより、各ノック棒に取付けた筆記芯体の前端部を軸筒の前端より突出させて、筆記が行えるようにしたサイドノック式筆記具に関する。
【背景技術】
【０００２】
このようなサイドノック式筆記具は、例えば特許文献１及び２に記載されているように、軸筒の外周壁に長手方向を向くガイド孔を複数設け、各ガイド孔の両側縁部に形成されたガイド溝に、軸筒内において各筆記芯体の後端部に差し込まれたノック棒(スライダ)の両側部を、長手方向に摺動可能、かつ復帰ばねにより常時軸筒の後端方向に付勢して嵌合し、軸筒の外周面に突出するようにしてガイド孔に嵌合された、ノック棒と一体の操作部を、軸筒の前端方向に選択的に押動操作することにより、筆記芯体の前端部を軸筒の前端より突出させ、かつノック棒の後端を、ガイド溝を形成するガイド突条の前端に係合させて、ノック棒の後退移動を阻止することにより、筆記芯体の前端部を突出状態に維持して、筆記が行えるようになっているのが一般的である。
【０００３】
また、各ノック棒における軸筒内に位置する内面には、解除手段としての傾斜カム状の突部が突設されており、いずれかの筆記芯体の前端部を突出させた状態で、他の操作部を軸筒の前端方向に押動操作すると、このノック棒の突部が、先に押動されているノック棒の突部を、ノック棒を外方に押し出す方向に押動させることにより、ノック棒の後端とガイド突条の前端との係合が解除され、突出状態にある筆記芯体が復帰ばねの付勢力により軸筒内に引き込まれる構造となっている。
【先行技術文献】
【特許文献】
【０００４】
【特許文献１】特開２００８−２５４３１６号公報(図３)
【特許文献２】特開２０１１−９３２２３号公報(図２８)
【発明の概要】
【発明が解決しようとする課題】
【０００５】
上記特許文献１及び２に記載されているサイドノック式筆記具は、次のような問題を有している。
すなわち、筆記芯体の前端部を軸筒の前端より突出させるべく、操作部を軸筒の前端方向に押動操作すると、ノック棒がガイド溝の前端より外れて軸筒の内部方向に移動し、ノック棒の後端がガイド突条の前端と係合することにより、ノック棒の後退移動が阻止される構造となっているので、ノック棒がガイド突条と係合する際に、ノック棒及びこれと一体の操作部が軸筒内に沈み込み、軸筒外周面からの操作部の突出寸法が小さくなる。
このようになると、筆記芯体がシャープペンシルユニットの場合には、芯を繰り出すために、ノック棒の後退移動を阻止した状態で、さらに操作部を親指で強く押動操作する必要があるので、操作部の突出寸法が小さくなると、その分、親指による操作部の指掛け面積が小となり、その押動操作性が悪くなったり、指先に大きな押圧反力が加わったりするなどの問題が生じる。
【０００６】
このような問題を解消するためには、特許文献２に記載されているように、シャープペンシルユニットのノック棒(スライダ)上部のノック操作部の突出寸法を、沈み込み量を見越して、他のボールペンリフィールの操作部のそれよりも予め大としておけばよいが、このようにすると、ノック操作部が突起感を呈して、筆記具の体裁が悪くなるとともに、突出させたノック操作部が衣服のポケット等に引っ掛かる恐れがある。
【０００７】
本発明は、上記問題点に鑑みてなされたもので、操作部を軸筒の前端方向に押動操作して筆記芯体を突出状態に維持するに際し、操作部が軸筒内に沈み込んでも、ノック部分は常に良好な突出状態に維持されるようにして、押動操作性を向上しうるようにするとともに、ノック部分の突出寸法を過度に大きくすることなく、体裁を向上させうるようにしたサイドノック式筆記具を提供することを目的としている。
【課題を解決するための手段】
【０００８】
本発明によると、上記課題は、次の各項のようにして解決される。
（１）前後方向を向く軸筒の外周面より突出する操作部を軸筒の前方に向かって移動させることにより、前記操作部にノック棒を介して連係された筆記芯体を、前記軸筒の前端より突出させ、かつ前記ノック棒が、これを長手方向にガイドするガイド溝の前端より外れて軸筒の内部方向に移動することにより、前記操作部とノック棒の後退移動を阻止し、筆記芯体の前端部を突出状態に維持するようにしたサイドノック式筆記具において、
前記操作部に、前記軸筒の外周面より突出するノック駒の前端部を、軸筒の内外方向に回動可能に連結するとともに、このノック駒の後端部を、前記ガイド溝に回動可能かつ長手方向に摺動可能に嵌合し、前記ノック駒により前記操作部を前端方向に押動操作しうるようにする。
【０００９】
このような構成とすると、操作部が軸筒の内部方向に移動して沈み込んでも、操作部の後端部に軸筒の内外方向に回動可能に連結されているノック駒は、軸筒のガイド溝への嵌合部を支点として軸筒側に回動するのみであるので、軸筒の外周面からのノック駒の突出寸法は、非操作時のそれとあまり変わらず、突出状態に維持される。その結果、ノック駒の指掛け面積が大きく確保され、その押動操作性が向上する。
また、ノック駒が突出状態に維持されることから、非操作時のノック駒の突出寸法を過度に大きくする必要はなく、押動操作に必要な最小限の寸法とすることができるので、突起感もなく、筆記具の体裁を向上させることができる。
【００１０】
（２）上記(１)項において、ノック駒の後面を、軸筒外周面からの離間寸法が後端方向に向かって漸次大となるように傾斜する傾斜面とすることにより、非操作時におけるノック駒の外端が、ノック駒におけるガイド溝への嵌合部の斜め後方に位置するようにし、操作部を軸筒の前端方向に押動したとき、前記嵌合部を支点とするノック駒の外端の回動軌跡における外方への最大突出位置が、操作部の非操作時におけるノック駒の外端の位置と同位置またはそれよりも外方となるようにする。
【００１１】
このような構成とすると、ノック駒を前端方向に押動操作したときの軸筒からの最大突出寸法が、非操作時におけるノック駒の最大突出寸法と同等またはそれよりも大となるので、ノック駒の押動操作性がさらに良好となる。
【００１２】
（３）上記(１)または(２)項において、操作部の後端部に、軸筒の外周面の周方の幅寸法を小とした狭幅部を設けるととともに、この狭幅部の両側面に突軸を突設し、前記狭幅部に、ノック駒の前端部に設けた側方に弾性変形可能な１対の挟持片を挟入し、かつ両挟持片に設けた軸孔を前記両突軸に嵌合することにより、操作部の後端部に、ノック駒の前端部を、前記突軸まわりに回動可能に連結する。
【００１３】
このような構成とすると、操作部の後端部の狭幅部に、ノック駒の前端部の１対の挟持片を挟入し、かつ両挟持片を側方に弾性変形させて、それに設けた軸孔を狭幅部の突軸に嵌合するだけで、操作部の後端部に、ノック駒の前端部を容易に連結することができる。
【００１４】
（４）前後方向を向く軸筒の外周面より突出する操作部を軸筒の前方に向かって移動させることにより、前記操作部にノック棒を介して連係された筆記芯体を、前記軸筒の前端より突出させ、かつ前記ノック棒が、これを長手方向にガイドするガイド溝の前端より外れて軸筒の内部方向に移動することにより、前記操作部とノック棒の後退移動を阻止し、筆記芯体の前端部を突出状態に維持するようにしたサイドノック式筆記具において、
前記操作部の後端部に、前記軸筒の外周面より突出するとともに、前記ガイド溝に長手方向に摺動可能に嵌合されたノック駒の前端部を、前記軸筒の内外方向に相対移動可能に連結し、前記ノック駒により前記操作部を前端方向に押動操作しうるようにする。
【００１５】
このような構成とすると、操作部の後端部に、ノック駒の前端部を、軸筒の内外方向に相対移動可能に連結してあるので、操作部が軸筒の内部方向に移動して沈み込んでも、ノック駒の前端部の位置は、非操作時と変わらない。従って、ノック駒の軸筒からの突出寸法も、非操作時と変わらなくなるので、ノック駒の指掛け面積が大きく確保され、その押動操作性が向上する。
また、非操作時のノック駒の突出寸法を、押動操作に必要な最小限の寸法とすることができるので、突起感もなく、筆記具の体裁を向上させることができる。
【００１６】
（５）上記(１)〜(４)項のいずれかにおいて、ノック駒における軸筒の外周面の周方向の幅寸法を、操作部のそれよりも大とする。
【００１７】
このような構成とすると、ノック駒の指掛け面積がさらに大きくなるので、その押動操作性が向上する。
【００１８】
（６）上記(１)〜(５)項のいずれかにおいて、筆記芯体をシャープペンシルユニットとする。
【００１９】
このような構成とすると、芯の繰り出しに比較的強い押圧力が必要なシャープペンシルユニットであっても、軸筒内への沈み込みが防止された突出寸法の大きなノック駒を、親指により容易に押動操作して、シャープペンシルユニットの芯を楽に繰り出すことができる。
【発明の効果】
【００２０】
本発明によれば、操作部が軸筒の内部方向に移動して沈み込んでも、ノック部分であるノック駒は、常に軸筒の外周面より良好な突出状態に維持されるので、その押動操作性を向上させることができ、かつノック駒の突出寸法を過度に大きくする必要がないので、筆記具の体裁を向上させることができる。
【図面の簡単な説明】
【００２１】
【図１】本発明の第１の実施形態に係る筆記具の正面図である。
【図２】同じく、斜視図である。
【図３】同じく、平面図である。
【図４】図３のIV−IV線縦断正面図である。
【図５】同じく、ノック駒を押動操作したときの縦断正面図である。
【図６】後軸筒に収容される各ノック棒とそれに取付けられる筆記芯体の一部の拡大斜視図である。
【図７】ノック棒と操作部とノック駒との拡大分解斜視図である。
【図８】同じく、組付後の斜視図である。
【図９】図４のIX−IX線拡大横断平面図である。
【図１０】図４のX−X線拡大横断平面図である。
【図１１】図４のXI−XI線拡大横断平面図である。
【図１２】本発明の第２の実施形態に係る筆記具の要部の拡大縦断面図である。
【図１３】同じく、ノック駒を押動操作したときの拡大縦断面図である。
【図１４】本発明の第３の実施形態に係る筆記具におけるノック棒と操作部とノック駒との拡大分解斜視図である。
【図１５】同じく、組付後の斜視図である。
【図１６】同じく、ノック駒を押動操作して操作部が沈み込んだときの斜視図である。
【発明を実施するための形態】
【００２２】
以下、本発明の実施形態を、図面に基づいて説明する。
図１〜図１１は、本発明のサイドノック式筆記具(以下、筆記具と略称する)の第１の実施形態を示す。なお、以下の説明において、後記する各リフィールが突出する方向(図１の下方)を、筆記具の前端とし、その反対側(図１の上端)を筆記具の後端とする。また、便宜上、図１を筆記具の正面図として説明する。
【００２３】
筆記具１の軸筒２は、先細り状をなす前端面に開口３を設けた円筒形の前軸筒２ａと、前軸筒２ａと同径の、後端が閉塞された後軸筒２ｂとからなり、前軸筒２ａの後部外周面に形成された雄ねじ部４を、後軸筒２ｂの前部内周面に形成された雌ねじ部５に螺合することにより、軸筒２は、２つに分離可能に結合されている。前軸筒２ａにおける前端部を除いた外周面には、ゴムまたは軟質合成樹脂等よりなる滑り止め用の把持筒６が嵌着されている。
【００２４】
図４に示すように、軸筒２内には、筆記芯体としての、例えば黒色と赤色等の２本のボールペンリフィール７ａ、７ａと、１本のシャープペンシルユニット７ｂとが収容されている。なお、これらの筆記芯体は公知のものであるので、詳細な構造等の説明は省略する。後軸筒２ｂ内の前端部には、各ボールペンリフィール７ａとシャープペンシルユニット７ｂの中間部を挿通させることにより、それらの長手方向の移動を個々に案内するガイド部材８が圧嵌されている。
後軸筒２ｂの後端部の右側面には、可撓性のクリップ９の後端部が、前方を向くようにして取り付けられている。
【００２５】
図４〜図６に示すように、ガイド部材８よりも後方の後軸筒２ｂ内には、同形の３本のノック棒１０が、互いに円周方向に９０°ずつ離間させて収容され、互いに対向する２本のノック棒１０、１０の前端に突設された差込片１０ａには、ボールペンリフィール７ａ、７ａの後部の開口端部が、他の１本のノック棒１０の前端の差込片１０ａには、シャープペンシルユニット７ｂの後部の開口端部が、それぞれ着脱可能に嵌合されている。
【００２６】
各ノック棒１０の前端とガイド部材８の後面との対向面間において、各ボールペンリフィール７ａ、７ａとシャープペンシルユニット７ｂの後部には、圧縮コイルばね１１が挿入され、この圧縮コイルばね１１により、各ノック棒１０とボールペンリフィール７ａ、７ａ及びシャープペンシルユニット７ｂは、常時後方に向かって付勢されている。
【００２７】
図４、図５及び図９〜図１１に示すように、各ノック棒１０の後半部の両側部は、それぞれ、後軸筒２ｂの後部寄りの内周壁に円周方向に９０°ずつ離間させて設けた、前端が開口された長手方向を向くガイド溝１２、１２に、摺動可能に嵌合されている。なお、この嵌合作業は、各ノック棒１０を、前軸筒２ａを取り外した後軸筒２ｂの前端開口部より挿入して行うことができる。
【００２８】
各ガイド溝１２、１２の軸方向の長さは、いずれかのノック棒１０を、それらに取付けたボールペンリフィール７ａ及びシャープペンシルユニット７ｂの前端部が、軸筒２の開口３より突出する位置まで前端方向に移動させたとき、ノック棒１０がガイド溝１２、１２の前端より外れて、後軸筒２ｂの内部方向に移動し、ノック棒１０の後端がガイド溝１２を形成している内方のガイド突条１３、１３の前端と係合する寸法としてある(図５参照)。いずれかのノック棒１０の後端が長手方向のガイド突条１３の前端と係合することにより、ノック棒１０の後方への移動が阻止され、ボールペンリフィール７ａまたはシャープペンシルユニット７ｂの前端部が軸筒２の開口３より突出した状態に維持される。
【００２９】
図４〜図１１に示すように、各ノック棒１０の後端部の外面には、それらを前端方向に押動操作するための操作部１４、１４、１５が、次のようにして取り付けられている。
各操作部１４、１５におけるノック棒１０との対向面の前端部と後端部には、それぞれ、前端に係止爪１６を有する角軸状の突片１７と、円柱状の突片１８とが突設され、この両突片１７、１８を、各ノック棒１０の後端部に穿設された角形の嵌合孔１９と円形の嵌合孔２０とに嵌合し、突片１７の係止爪１６を嵌合孔１９の内方の開口縁に係合させることにより、各操作部１４、１５は、各ノック棒１０の後端部の外面に、抜け止めされて取り付けられている。なお、シャープペンシルユニット７ｂのノック棒１０に取付けた操作部１５の長手方向の寸法は、ボールペンリフィール７ａのノック棒１０に取付けた操作部１４の長手方向の寸法よりも短寸とされ、また、ノック棒１０の外面からの操作部１５の突出寸法は、後端側が大きく、前端側に向かって漸次小となるようにしてある。
【００３０】
各操作部１４、１５は、後軸筒２ｂの後部寄りの外周壁に形成された、各ガイド溝１２と連通する長手方向のガイド孔２１に、外端部が後軸筒２ｂの外周面より外方に突出するようにして摺動可能に嵌合されている。なお、各ガイド溝１２、１２の外方の開口幅は、ガイド孔２１の開口幅よりも大とされている。
操作部１４、１５は、それを取付けた各ノック棒１０及びボールペンリフィール７ａとシャープペンシルユニット７ｂと共に、圧縮コイルばね１１の付勢力により常時後方に向かって付勢され、非操作時にはガイド孔２１の後限に位置している。
【００３１】
シャープペンシルユニット７ｂ用の操作部１５の後端部には、操作部１５を間接的に押動するためのノック駒２２が、次のようにして取り付けられている。
図４〜図８及び図１０に示すように、操作部１５の後端部には、後軸筒２ｂの外周面の周方向の幅寸法を小とした方形板状をなす狭幅部１５ａが形成され、その厚さ方向の両側面には、突出寸法を軸筒２の外方に向かって漸次小とした楔状断面の小突軸２３、２３が突設されている。
【００３２】
ノック駒２２は、その幅方向である後軸筒２ｂの外周面の周方向の両側面が互いに平行をなすともに、外周面が円弧状に湾曲し、さらに後軸筒２ｂの外周面の周方向の幅寸法を、操作部１５及びガイド孔２１の幅寸法よりも大とした本体駒部２２ａと、この本体駒部２２ａの後端部にノック棒１０側に向かって突設された、ガイド孔２１に挿入可能な１対の差込片２２ｂ、２２ｂと、本体駒部２２ａにおけるノック棒１０との対向面側に前端方向に向かって突設され、操作部１５の狭幅部１５ａに挟入可能な１対の挟持片２２ｃ、２２ｃとからなっている。本体駒部２２ａにおけるノック棒１０との対向面は、後軸筒２ｂの外周面からの離間寸法が前端方向に向かって漸次大となるように傾斜させてある。また、両挟持片２２ｃは、互いに離間する方向に若干弾性変形しうるようになっている。
【００３３】
差込片２２ｂ、２２ｂの前端部の外側面には、球面状の外向突部２４、２４が、また挟持片２２ｃ、２２ｃの前端部には、狭幅部１５ａの小突軸２３、２３に嵌合可能な軸孔２５、２５が、それぞれ形成されている。
【００３４】
図７及び図８に示すように、ノック駒２２の挟持片２２ｃ、２２ｃを、操作部１５の狭幅部１５ａに摺動可能に挟入し、両挟持片２２ｃを離間する方向に若干弾性変形させつつ、それに設けた軸孔２５、２５を狭幅部１５ａに突設した小突軸２３、２３に嵌合することにより、操作部１５の後端部にノック駒２２の前端部が、内外方向に相対回動可能に連結されている。ノック駒２２の両差込片２２ｂに突設した外向突部２４、２４は、図４及び図９に示すように、後軸筒２ｂに設けたガイド溝１２、１２に長手方向に摺動可能、かつ回動可能として嵌合されている。なお、この実施例では、外向突部２４、２４を、両ガイド溝１２、１２内において、ガイド孔２１の開口幅よりも大とされた外方の開口縁部に摺接させているが、両差込片２２ｂを、ガイド溝１２の奥端に達する長さとして、両差込片２２ｂに、ガイド溝１２、１２の溝幅の奥行きとほぼ同じ大きさの外向突部２４を突設し、この大とした外向突部２４全体を、ガイド溝１２に、長手方向に摺動可能、かつ回動可能に嵌合してもよい。操作部１５と後軸筒２ｂにノック駒２２を取付けた際、図９に示すように、本体駒部２２ａの内端が、後軸筒２ｂの外周面と近接または摺接するようになっている。
【００３５】
このようにして、ノック駒２２を操作部１５と後軸筒２ｂに取付けると、幅寸法を大とした本体駒部２２ａの内端を後軸筒２ｂの外周面と近接または摺接させてあるので、後軸筒２ｂに対して、ノック駒２２の後端部が内外方向にみだりに移動するのが防止される。また、前述したように、本体駒部２２ａにおけるノック棒１０との対向面を、後軸筒２ｂの外周面からの離間寸法が前端方向に向かって漸次大となるように傾斜させてあるので、ノック駒２２を、両差込片２２ｂの外向突部２４を支点として、後軸筒２ｂ側に回動させることができる。
【００３６】
各ノック棒１０における後軸筒２ｂの中心部付近に位置する内側面には、前端方向に押動されたノック棒１０の係合状態を解除するための公知の解除手段である傾斜カム状の突部２６、２６が、長手方向に離間させて２個ずつ突設されている。これら２個の突部２６、２６は、上述したように、いずれかのノック棒１０の後端がガイド突条１３、１３の前端と係合して、後方への移動が阻止されている状態において、他のいずれかのノック棒１０を前端方向に移動させた際に、このノック棒１０の前端側の突部２６が、後方への移動が阻止されているノック棒１０の後端側の突部２６と当接してこれを外方に押動させることにより、係合状態を解除して、ボールペンリフィール７ａまたはシャープペンシルユニット７ｂの前端部を軸筒２内に引き込むものである。
【００３７】
以上説明した第１の実施形態の筆記具１において、操作部１５に取付けたノック駒２２を、図４に示す非操作状態から前端方向に押動操作すると、図５に示すように、操作部１５はガイド孔２１により、ノック棒１０はガイド溝１２により、それぞれ案内されながら互いに一体的に前端方向に移動する。
【００３８】
上述したように、ノック棒１０がガイド溝１２の前端より外れる位置まで移動させられると、ノック棒１０と操作部１５とが後軸筒２ｂの内部方向に移動し、ノック棒１０の後端がガイド突条１３、１３の前端と係合してその後退移動が阻止される。これにより、シャープペンシルユニット７ｂの前端部が軸筒２の開口３より突出した状態に維持される。
【００３９】
ノック棒１０の後端がガイド突条１３、１３の前端と係合すると、操作部１５は後軸筒２ｂの内部に沈み込むが、操作部１５の後端部に連結されているノック駒２２は、ガイド溝１２、１２に嵌合されている外向突部２４、２４を支点として後軸筒２ｂ側、すなわち図５において反時計方向に回動するので、後軸筒２ｂの外周面からのノック駒２２の突出寸法は、非操作時のそれとあまり変わらず、突出状態に維持される。従って、シャープペンシルユニット７ｂの芯を繰り出すべく、ノック棒１０の後退移動を阻止した状態で、さらにノック駒２２を親指で押動する際において、十分な大きさの指掛け面積が確保され、押動操作性が向上することにより、シャープペンシルユニット７ｂの芯を楽に繰り出すことができる。
また、ノック駒２２は殆ど沈み込まないので、非操作時のノック駒２２の突出寸法を、過度に大きくする必要はなく、押動操作に必要な程度の小さな寸法とすることができるため、外観を損なうほどの突起感はなく、筆記具の体裁を向上させることができる。
【００４０】
図１２及び図１３は、第２の実施形態に係る筆記具の要部を拡大して示すもので、この実施形態においては、ノック駒２２における本体駒部２２ａの後面を、後軸筒２ｂの外周面からの離間寸法が後端方向に向かって漸次大となるように傾斜する傾斜面とすることにより、非操作時におけるノック駒２２の外端２７が、外向突部２４の斜め後方(図１２の斜め左上方)に位置するようにしてある。
【００４１】
このようにすると、図１３に示すように、ノック駒２２を前端方向に押動操作した際において、外向突部２４を支点とするノック駒２２の外端２７の回動軌跡Ｒの外方への最大突出位置が、非操作時におけるノック駒２２の外端２７の位置よりも外方に位置するようになる。その結果、操作部１５が後軸筒２ｂ内に沈み込んでも、ノック駒２２を前端方向に押動操作したときの後軸筒２ｂからの最大突出寸法Ｓ１が、非操作時におけるノック駒２２の最大突出寸法Ｓ２よりも大となるので、上記第１の実施形態の筆記具よりもノック駒２２の押動操作性が良好となる。なお、本体駒部２２ａの後面の傾斜勾配を変更することにより、外端２７の突出寸法を適宜に設定することができる。例えば、ノック駒２２を前端方向に押動操作したときの外端２７の回動軌跡Ｒの外方への最大突出位置を、非操作時におけるノック駒２２の外端２７の位置と同等となるようにすれば、ノック駒２２を前端方向に押動操作したときの最大突出寸法と、非操作時のノック駒２２の突出寸法とをほぼ等しくすることができる。
【００４２】
図１４〜図１６は、第３の実施形態に係る筆記具の要部を示す。
この実施形態では、操作部１５の狭幅部１５ａに、ノック棒１０の外面と直交する内外方向を向く長孔２８を設けるとともに、ノック駒２２の挟持片２２ｃ、２２ｃに幅方向の軸孔２９を穿設し、狭幅部１５ａに移動可能に挟入した挟持片２２ｃ、２２ｃの軸孔２９と、狭幅部１５ａの長孔２８とにピン３０を挿通することにより、操作部１５の後端部に、ノック駒２２の前端部を、後軸筒２ｂの内外方向に相対移動可能として連結してある。図１５に示すように、ノック駒２２の非操作時から、操作部１５が後軸筒２ｂの内部に沈み込む直前までの間においては、ピン３０は長孔２８の内端と近接または当接しており、ノック駒２２を押動操作した際に、前端部が後軸筒２ｂ側に移動しないようにしてある。
ノック駒２２の両差込片２２ｂの外向突部２４は、前述した実施形態と同様に、後軸筒２ｂのガイド溝１２、１２に、長手方向に摺動可能に嵌合される。
【００４３】
この第３の実施形態においては、図１６に示すように、ノック駒２２を前端方向に押動操作し、操作部１５が後軸筒２ｂ内に沈み込むと、ピン３０が長孔２８に沿って外方に相対移動するので、ノック駒２２の前端部の位置は、非操作時と変わらない。従って、操作部１５が後軸筒２ｂ内に沈み込んでも、ノック駒２２の後軸筒２ｂからの突出寸法も、非操作時と変わらなくなるので、ノック駒２２の押動操作性が良好となるとともに、ノック駒２２の後軸筒２ｂからの突出寸法をさらに小とすることができる。また、前述したように、ノック駒２２の本体駒部２２ａの幅寸法を、ガイド孔２１の幅寸法より大とし、本体駒部２２ａの内端を後軸筒２ｂの外周面と近接または摺接させてあるので、非操作時においてノック駒２２が内外方向にみだりに動く恐れはない。なお、この実施形態においては、上記とは反対に、ノック駒２２の挟持片２２ｃ側に長孔２８を、操作部１５の狭幅部１５ａ側に軸孔２９を、それぞれ設けてもよい。
【００４４】
この第３の実施形態においては、操作部１５が沈み込んでもノック駒２２は回動しないので、若干長寸とした挟持片２２ｃ、２２ｃの外面に、例えば角形等の非円形をなす外向突部を突設し、この外向突部を、ガイド溝１２、１２に、回動不能かつ長手方向に摺動可能に嵌合させるようにしてもよい。
【００４５】
以上説明したように、上記各実施形態の筆記具においては、いずれも、操作部１５が後軸筒２ｂの内部方向に移動して沈み込んでも、ノック部分であるノック駒２２は、常に軸筒２の外周面から突出した状態に維持されるので、押動操作性が良好となり、シャープペンシルユニット７ｂの芯を楽に繰り出すことができる。また、従来のように、操作部１５の沈み込みを見越して、その突出寸法を予め大としておく必要がないので、外観を損なうほどの突起感がなく、かつ筆記具の体裁を向上させることができる。
【００４６】
本発明は、上記実施形態のみに限定されるものではない。
上記実施形態においては、ノック駒２２の幅寸法を、操作部１５のそれよりも大としてあるが、操作部１５の幅寸法と同等として、ノック駒２２の内端部をガイド孔２１に嵌合するようにしてもよい。
【００４７】
また、上記実施形態においては、操作部１５の後端部に狭幅部１５ａを設け、この狭幅部１５ａに、ノック駒２２の１対の挟持片２２ｃを挟入し、狭幅部１５ａの外側面に突設した小突軸２３に、挟持片２２ｃに設けた軸孔２５を嵌合しているが、このような狭幅部１５ａを設けないで、操作部１５の後端部に、離間寸法を大とした両挟持片２２ｃを直に挟入するようにしてもよい。この際には、操作部１５の後端部の両側面に突軸を突設すればよい。
【００４８】
さらに、上記実施形態では、１本の筆記芯体をシャープペンシルユニット７ｂとし、２本の筆記芯体をボールペンリフィール７ａとしたが、ボールペンリフィール７ａを省略し、シャープペンシルユニット７ｂのみとすることもある。この際には、ガイド突条１３とノック棒１０との係合を、上記実施形態とは別の解除手段、例えば外部より押動操作可能な解除ロッド等を設けて行えばよい。
また、シャープペンシルユニット７ｂを省略して、全てをボールペンリフィール７ａとした筆記具にも、本発明を適用することができる。この際は、それらを取付けたノック棒１０のそれぞれに、上記実施形態のような操作部１５とノック駒２２を設ければよい。
【００４９】
上記実施形態では、各ノック棒１０に、別体の操作部１４、１５を取り付けているが、操作部１４、１５を各ノック棒１０に一体的に設けてもよい。
【符号の説明】
【００５０】
１  筆記具
２  軸筒
２ａ前軸筒
２ｂ後軸筒
３  開口
４  雄ねじ部
５  雌ねじ部
６  把持筒
７ａボールペンリフィール(筆記芯体)
７ｂシャープペンシルユニット(筆記芯体)
８  ガイド部材
９  クリップ
１０  ノック棒
１０ａ差込片
１１  圧縮コイルばね
１２  ガイド溝
１３  ガイド突条
１４、１５  操作部
１５ａ狭幅部
１６  係止爪
１７、１８  突片
１９、２０  嵌合孔
２１  ガイド孔
２２  ノック駒
２２ａ本体駒部
２２ｂ差込片
２２ｃ挟持片
２３  小突軸
２４  外向突部
２５  軸孔
２６  突部
２７  外端
２８  長孔
２９  軸孔
３０  ピン
Ｒ  回動軌跡
【図１】
2014162212.tif 000003
【図２】
2014162212.tif 000004
【図３】
2014162212.tif 000005
【図４】
2014162212.tif 000006
【図５】
2014162212.tif 000007
【図６】
2014162212.tif 000008
【図７】
2014162212.tif 000009
【図８】
2014162212.tif 000010
【図９】
2014162212.tif 000011
【図１０】
2014162212.tif 000012
【図１１】
2014162212.tif 000013
【図１２】
2014162212.tif 000014
【図１３】
2014162212.tif 000015
【図１４】
2014162212.tif 000016
【図１５】
2014162212.tif 000017
【図１６】
2014162212.tif 000018